(57)【特許請求の範囲】
【請求項１】
シート状の蓄冷剤を支持して凍結庫内に装着されるラックであって、
前後方向に延びた水平枠を有する支持枠が所定間隔を開けて複数並設され、同水平枠の前端部からは第一の脚枠が垂下されて、当該各第一の脚枠の下端側が方形状の本体枠の前縁に連結される一方、前記各支持枠における水平枠の後端部が第二の脚枠を介して前記本体枠の後縁側の上方に位置して配されることにより、本体枠上に離間した状態で支持されているとともに、
前記第一および第二の脚枠の下端部の近傍には、それぞれ前記各支持枠の水平枠と交差する向きに受け枠が配されて前記本体枠と連結された構造になり、
蓄冷剤は、長さ方向の両端を前後の受け枠で受けられつつ隣り合う前記支持枠の間に立て掛けられた形態で支持されるようになっているとともに、
当該ラックが上下反転された場合には、並設された前記各支持枠の内側に、蓄冷剤を複数本の前記水平枠に亘るような横たわった姿勢で載せて収容できる収容空間が形成されるようになっていることを特徴とする蓄冷剤用ラック。
【請求項２】
前記支持枠が、長さ方向の略中央部に凹陥部を有する水平枠を備えることにより、下面に開口した前後２つの収容空間が形成され、各収容空間の前端部と後端部付近には、前後で対をなす前記受け枠が前記本体枠の左右の側縁の間に差し渡されて設けられていることを特徴とする請求項１記載の蓄冷剤用ラック。
【請求項３】
前記各支持枠における水平枠の後端部を横切って連結された連結枠が設けられ、同連結枠の左右両端部に下向きに設けられた脚枠が前記本体枠の左右の側縁における奥端部に連結されることで、前記各支持枠における水平枠の後端部が前記本体枠の後縁側の上方に位置して配されていることを特徴とする請求項２記載の蓄冷剤用ラック。
【請求項４】
前記各支持枠が、正面視でその上端側を側方に所定角度振った傾斜姿勢で設けられていることを特徴とする請求項１ないし請求項３のいずれか一項に記載の蓄冷剤用ラック。
【発明の詳細な説明】
【技術分野】
【０００１】
本発明は、シート状の蓄冷剤を支持して凍結庫内で凍結させることに用いる蓄冷剤用ラックに関する。
【背景技術】
【０００２】
蓄冷剤の一形態として、細長い方形のシート状いわゆる短冊状に形成したものがあり、従来このような蓄冷剤を支持して蓄冷剤凍結庫内に収容することに用いるラックとして、以下のようなものが提案されている。このものは、水平枠の前後両端部に前後の枠が垂設された側面略門形をなす支持枠が所定間隔を開けて複数並設され、各前枠と後枠の下端が方形状の本体枠の前後の縁辺にそれぞれ連結されるとともに、前半領域と後半領域においてそれぞれ、前後方向に所定間隔を開けて配された前後一対の受け枠が、本体枠の左右の枠辺の間に渡されて連結された構造となっている。そして蓄冷剤は、前後の各領域において、長さ方向の両端を前後で対をなす受け枠で受けられつつ、隣り合う支持枠の間に立て掛けられた形態で支持されるようになっている（下記特許文献１参照）。
【先行技術文献】
【特許文献】
【０００３】
【特許文献１】特開２０１１−７３８９号公報
【発明の概要】
【発明が解決しようとする課題】
【０００４】
上記構造のラックでは、支持対象が長さが異なる蓄冷剤となった場合、例えば短寸の蓄冷剤に変更となった場合には、受け枠で支持することができなくなるため、短寸の蓄冷剤を支持し得る間隔で受け枠を設けたラックを別途準備して、使い分けをする必要がある。
なお、受け枠を短寸の蓄冷剤に合わせた間隔に設けておくと、相対的に長い通常の蓄冷剤については安定して支持できなくなるおそれがあるし、また、受け枠の本数を増やして、長寸から短寸までの蓄冷剤を支持できるようにすると、ラックの重量増や製造コストの増加に繋がるために、簡単には対応できない。  
本発明は上記のような事情に基づいて完成されたものであって、その目的は、一種類でありながらも、長さが異なるシート状の蓄冷剤をそれぞれ安定して支持することができるラックを提供するところにある。
【課題を解決するための手段】
【０００５】
本発明は、シート状の蓄冷剤を支持して凍結庫内に装着されるラックであって、前後方向に延びた水平枠を有する支持枠が所定間隔を開けて複数並設されて、各支持枠の前端部と後端部とが脚枠を介して本体枠上に離間した状態で支持されているとともに、前後の脚枠の下端部の近傍には、それぞれ前記各支持枠の水平枠と交差する向きに受け枠が配されて前記本体枠と連結された構造になり、蓄冷剤は、長さ方向の両端を前後の受け枠で受けられつつ隣り合う前記支持枠の間に立て掛けられた形態で支持されるようになっているとともに、当該ラックが上下反転された場合には、並設された前記各支持枠の内側に、蓄冷剤を複数本の前記水平枠に亘るような横たわった姿勢で載せて収容できる収容空間が形成されるようになっている構成としたところに特徴を有する。
【０００６】
前後の受け枠間の間隔よりも長い寸法を持ったシート状の蓄冷剤は、長さ方向の両端を前後の受け枠で受けられつつ隣り合う支持枠の間に立て掛けられた形態で支持される。前後の受け枠間の間隔より短い蓄冷剤の場合は、ラックが上下反転された上で、蓄冷剤は収容空間に入れられて、複数の水平枠上を横切って横たわった姿勢で載せられて支持される。  
長さ寸法が異なるシート状の蓄冷剤を支持する場合に、１種類のラックを上下反転させた姿勢で使用することにより対応できる。
【０００７】
また、以下のような構成としてもよい。  
（１）前記支持枠が、長さ方向の略中央部に凹陥部を有する水平枠と、同水平枠の前端部から垂下された脚枠とを備え、この支持枠が並設されて前記各脚枠の下端側が方形状の本体枠の前縁に連結される一方、前記各支持枠における水平枠の後端部が前記本体枠の後縁側の上方に位置して配されることにより、下面に開口した前後２つの収容空間が形成され、各収容空間の前端部と後端部付近には、前後で対をなす前記受け枠が前記本体枠の左右の側縁の間に差し渡されて設けられている。
【０００８】
蓄冷剤は、支持枠における凹陥部よりも奥側と手前側の二領域において、受け枠で受けられつつ支持枠間に立て掛けて支持される。上下反転させれば、蓄冷剤を横たえて載せる収容空間が前後二領域に形成される。  
受け枠が補強材として機能する。支持枠の水平枠に設けられた凹陥部は、特に奥側の領域に立て掛けられた蓄冷剤の前端部を摘んで引き出す場合に便利である。凹陥部を構成する縦枠は、立て掛けられた蓄冷剤の下部側に当たって側方に抜けることを規制し、蓄冷剤を立て掛けた姿勢に保持することに有効である。
【０００９】
（２）前記各支持枠における水平枠の後端部を横切って連結された連結枠が設けられ、同連結枠の左右両端部に下向きに設けられた脚枠が前記本体枠の左右の側縁における奥端部に連結されることで、前記各支持枠における水平枠の後端部が前記本体枠の後縁側の上方に位置して配されている。  
蓄冷剤を奥側の領域に押し込んだ場合に、連結枠に当たってそれ以上の押し込みが規制される。蓄冷剤の奥面側に冷気の流通空間を確保する場合に有効となる。
【００１０】
（３）前記各支持枠が、正面視でその上端側を側方に所定角度振った傾斜姿勢で設けられている。  
シート状の蓄冷剤は、支持枠の間ごとに一方向に揃って傾斜した姿勢で支持される。そのため隣り合う蓄冷剤の間に所定の隙間が確保され、冷気の流通が担保される。結果、蓄冷剤を全域に亘って均一に且つ高速度で凍結することができる。
【発明の効果】
【００１１】
本発明のラックを使用すれば、長さが異なるシート状の蓄冷剤をそれぞれ安定して支持することができる。
【図面の簡単な説明】
【００１２】
【図１】本発明の実施形態１に係る凍結庫の側断面図
【図２】開扉状態の凍結庫の正面図
【図３】ハンガーラックの斜視図
【図４】同正面図
【図５】同平面図
【図６】同側面図
【図７】同右奥隅部の拡大平面図
【図８】スタンドラックの斜視図
【図９】同正面図
【図１０】同平面図
【図１１】同側面図
【図１２】本体枠の右奥隅部の拡大平面図
【図１３】図１０のＸ矢視拡大図
【図１４】図１０のＹ矢視拡大図
【図１５】ハンガーラックの装着構造を示す平面図
【図１６】スタンドラックの装着構造を示す平面図
【図１７】マット状蓄冷剤の支持動作を示す側面図
【図１８】スタンドラックの装着構造を示す側断面図
【図１９】短冊状蓄冷剤の取り出し動作を説明する側断面図
【図２０】スタンドラックを上下反転させた場合の平面図
【図２１】上下反転させたスタンドラックの装着構造を示す側断面図
【図２２】実施形態２に係るスタンドラックの部分正面図
【発明を実施するための形態】
【００１３】
＜実施形態１＞
本発明の実施形態１を図１ないし図２１によって説明する。  
本実施形態に係る蓄冷剤凍結庫１０は、図１及び図２に示すように、前面開口の縦長の断熱箱体からなる凍結庫本体１１を有し、内部が凍結室１２とされて、底面の四隅に設けられた脚１３で支持されている。凍結室１２の前面開口部１４には、断熱扉１５が一方の縦縁（例えば右側縁）を中心とした揺動開閉可能に装着されている。  
凍結庫本体１１の上面には機械室１６が設けられ、同機械室１６内には、圧縮機１８、空冷式の凝縮器１９等からなる冷凍装置１７等が装備されている。
【００１４】
凍結室１２の天井部の奥側寄りの位置には、ドレンパンを兼ねたダクトパネル２０が張られることで冷却器室２１が区画形成されており、その底面の手前側の位置には吸込口２２が、奥側には吹出口２３がそれぞれ形成されている。冷却器室２１内には冷却器２５が収容され、上記の機械室１６内に装備された冷凍装置１７と冷媒配管で接続されて冷凍サイクルが構成されているとともに、吸込口２２に臨んで庫内ファン２６が装着されている。  
そして、冷凍装置１７を運転しつつ庫内ファン２６を駆動すると、詳しくは後記するように、凍結室１２の庫内空気が吸込口２２から冷却器室２１内に吸引され、その空気が冷却器２５を流通する間に熱交換によって冷気が生成され、その冷気が吹出口２３から凍結室１２の奥壁１２Ａに沿うようにして吹き出され、凍結室１２内に冷気が循環供給されるようになっている。
【００１５】
凍結室１２内には、蓄冷剤がラックに対して整列して支持されて収納されるようになっている。  
この実施形態では基本的には、２種類のシート状の蓄冷剤Ａ，Ｂが適用されるようになっている。第１の蓄冷剤Ａは、樹脂シート内にゲル化剤が充填された短冊状をなす蓄冷部材ａが４枚連ねられた形状であって、二つ折り可能とされている。以下、第１の蓄冷剤Ａをマット状蓄冷剤Ａという。  
第２の蓄冷剤Ｂは、同じく樹脂シート内にゲル化剤が充填されて単体の短冊状に形成されている。以下、第２の蓄冷剤Ｂを短冊状蓄冷剤Ｂという。この実施形態の短冊状蓄冷剤Ｂは、上記マット状蓄冷剤Ａを構成する蓄冷部材ａと比べて、長さと厚さが同じである反面、幅が半分強に留まっている。
【００１６】
マット状蓄冷剤Ａは、第１のラック４０に対して吊り下げられて支持されるようになっている。以下、第１のラック４０をハンガーラック４０という。  
一方、短冊状蓄冷剤Ｂは、第２のラック５０に対して立て掛けられて支持されるようになっている。以下、第２のラック５０をスタンドラック５０という。  
これらのラック４０，５０を凍結室１２内に装着する手段として、凍結室１２の奥壁１２Ａの左右両端部と、左右の側壁１２Ｂにおける前面開口部１４から所定寸法入った位置に、合計４本の棚柱３０が立てられており、各棚柱３０における同じ高さ位置に棚受金３２が装着されて、それらのラック４０，５０が支持されるようになっている。
【００１７】
詳細には、棚受金３２は、図１５及び図１７に示すように、水平な載置板３３の先端から支え板３４が斜め下方に折り返された形状であり、かつ載置板３３には掛止片３５が垂直に切り起こし形成されている。棚受金３２は、載置板３３と支え板３４に設けられた取付爪（図示せず）を、棚柱３０に列設された取付孔３１の上下２個に亘って嵌めることで装着されるようになっている。  
この実施形態では、凍結室１２内における上側の略３／４の領域に、ハンガーラック４０が３段に亘って装着され、残りの下側の領域に、スタンドラック５０が２段に亘って装着されている。なお下側のスタンドラック５０は、凍結室１２の底面上に直に載せられている。
【００１８】
次に、ラックの形状について詳細に説明する。  
ハンガーラック４０は、図３ないし図７に示すように、共に鋼線等の金属線材を素材として形成された本体枠４１と、マット状蓄冷剤Ａを二つ折りして吊り下げて支持する複数個（図示８個）の支持枠４５とから構成されている。  
本体枠４１は、前縁と左右の側縁とからなる平面門形をなす三方枠４２と、後縁枠４４とから構成され、三方枠４２の左右の側縁の奥端部では、内向きの鈎形に屈曲された被掛止部４３が形成されている。後縁枠４４は、上記した三方枠４２における左右の被掛止部４３の折り返し部４３Ａの間に亘る長さを有し、両端には、折り返し部４３Ａより所定寸法短い屈曲部４４Ａが直角曲げされている。三方枠４２の両被掛止部４３の間には、折り返し部４３Ａと屈曲部４４Ａの先端同士を揃えた形態で後縁枠４４が差し渡され、溶接により結合されることで本体枠４１が形成されている。  
本体枠４１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部４３が、後縁枠４４よりも所定寸法後方に突出した形状となっている。
【００１９】
支持枠４５は、前後方向に延びた水平枠４６の前後両端に、前枠４７と後枠４８とを下向きに形成した形状であって、後枠４８が直角に下向きに曲げられているのに対して、前枠４７は、直角に下向きに曲げられたのち（垂下部４７Ａ）、中央高さより少し下方位置から奥側に向けて斜め（４５°）に屈曲された（傾斜部４７Ｂ）形状となっている。  
上記した支持枠４５は、隣り合う２個の前枠４７の下端同士と、後枠４８の下端同士がそれぞれ連結枠４５Ａで連結されることにより、所定間隔を開けて一体的に形成されている。
【００２０】
上記した支持枠４５の対が４組、各組間に上記した両支持枠４５の間隔に等しい間隔を取って左右方向に並べられ、本体枠４１における左右の側縁よりも少し内側に入った領域において同本体枠４１上に載せられる。詳細には、各支持枠４５の対における前側の連結枠４５Ａが三方枠４２の前縁上に載せられ、また後側の連結枠４５Ａが後縁枠４４上に載せられ、それぞれ溶接によって固定されている。  
以上により、本体枠４１の上面における左右の側縁の少し内側の領域において、図示８個の支持枠４５が一定間隔を開けて左右方向に並んで設けられ、かつ、各支持枠４５における手前側の一部、すなわち手前側の端縁から前枠４７の傾斜部４７Ｂの下端までの奥行領域が、本体枠４１の前縁の手前側に突出した形状となる。
【００２１】
ここで、支持枠４５における水平枠４６の前後方向の長さ寸法は、マット状蓄冷剤Ａの縦幅の２倍弱であり、水平枠４６までの高さ寸法は、マット状蓄冷剤Ａの長さの半分強である。  
また、各支持枠４５における後枠４８の内側の面には、同じく金属線材からなる規制枠４９が、ほぼ中央高さ位置において全幅に亘って当てられ、溶接により固定されている。
【００２２】
次に、スタンドラック５０について図８ないし図１４によって説明する。  
スタンドラック５０は大まかには、それぞれ鋼線等の金属線材を素材として形成された本体枠５１と、複数の支持枠５５（図示１５個）と、受け枠６２とから構成されている。
本体枠５１は、前縁と左右の側縁とからなる平面門形をなす三方枠５２と、後縁枠５４とから構成されている。三方枠５２の左右の側縁の奥端部では、内向きの鈎形に屈曲された被掛止部５３が形成され、かつ同被掛止部５３の折り返し部５３Ａの先端部が、互いに対向する方向に直角曲げされている（屈曲部５３Ｂ）。後縁枠５４は、本体枠５１の左右の側縁の間に亘る長さを有している。後縁枠５４は、左右の被掛止部５３における屈曲部５３Ｂの内側に当てられた形態で、本体枠５１における左右の側縁の奥端部の間に差し渡され、溶接により結合されることで本体枠５１が形成されている。  
本体枠５１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部５３が、後縁枠５４よりも所定寸法後方に突出した形状となっている。
【００２３】
支持枠５５は、前後方向に延びた水平枠５６の前端に前枠５７が一体形成された形状であり、水平枠５６の長さ方向の中央部における所定長さ領域には、所定深さを有する方形状の凹陥部５８が形成されている。前枠５７は、水平枠５６の前縁から凹陥部５８の深さ寸法だけ垂下したのち、その下端部が奥側に直角曲げされた（屈曲部５７Ａ）形状となっている。  
上記の支持枠５５は、一定間隔を開けて左右方向に並んで配されるが、各支持枠５５の水平枠５６の後端を連結する連結枠５９が設けられている。連結枠５９は、本体枠５１の左右の側縁の間に亘る長さを有する一方、両端にはＬ字形をなす脚枠６０が互いに向き合う姿勢で形成されている。
【００２４】
上記のように１５個の支持枠５５が所定間隔を開けて並んで配され、各水平枠５６の後端の下面側に連結枠５９が当てられて溶接により固定されることで、１５個の支持枠５５が仮組みされる。このような仮組みされた支持枠５５が本体枠５１上に載せられ、各支持枠５５における前枠５７の屈曲部５７Ａの先端が、本体枠５１の前縁の上面に当てられて溶接により固定される。このとき、連結枠５９の両端の脚枠６０が、本体枠５１の左右の奥端部に形成された被掛止部５３の突出端の少し手前側に対応するため、同脚枠６０の下辺が被掛止部５３に載せられて溶接で固定される。
【００２５】
また、本体枠５１の左右の側縁の間に亘るようにして、４本の受け枠６２が設けられる。前側の２本の受け枠６２は、本体枠５１の前縁から少し奥に入った位置と、凹陥部５８の前縁寄りの位置とにそれぞれ配されて溶接で固定される。後側の２本の受け枠６２は、凹陥部５８の後縁寄りの位置と、同位置と後縁枠５４との中間位置とにそれぞれ配されて、同じく溶接で固定される。
【００２６】
以上により、本体枠５１の上面における左右の側縁の少し内側の領域において、図示１５個の支持枠５５が一定間隔を開けて左右方向に並んで設けられ、かつ、各支持枠５５における手前側の一部、すなわち手前側の端縁から前枠５７の屈曲部５７Ａの先端までの奥行領域が、本体枠５１の前縁の手前側に突出し、また、本体枠５１の左右の奥端部に形成された被掛止部５３の突出端側の所定領域が連結枠５９並びにその脚枠６０の位置から奥側に突出した形態となる。また、手前側と奥側に分かれた各領域において、それぞれ２本ずつの受け枠６２が設けられる。  
ここで、支持枠５５における水平枠５６の前後方向の長さ寸法は、短冊状蓄冷剤Ｂの長さの２倍弱であり、水平枠５６までの高さ寸法は、短冊状蓄冷剤Ｂの幅よりも少し小さい寸法である。また、前側の２本の受け枠６２の間隔は、短冊状蓄冷剤Ｂの長さの６割程度であり、後側の２本の受け枠６２の間隔は、前側の間隔の２／３程度である。
【００２７】
短冊状蓄冷剤Ｂは、奥側の領域では、後側の２本の受け枠６２並びに後縁枠５４で受けられつつ、隣り合う支持枠５５における凹陥部５８よりも奥側の部分の間に立て掛けられた形態で支持され、一方手前側の領域では、前側の２本の受け枠６２並びに本体枠５１の前縁で受けられつつ、隣り合う支持枠５５における凹陥部５８よりも手前側の部分の間に立て掛けられた形態で支持されるようになっている。すなわち、本実施形態のスタンドラック５０では、手前側と奥側の二領域において、短冊状蓄冷剤Ｂを立て掛けた形態で支持し得る支持領域が構成されている。
【００２８】
また、スタンドラック５０は、図２０と図２１の上段に示すように、上下反転させた場合に、各支持枠５５の前端側の前枠５７と、凹陥部５８を構成する手前側の縦枠６３Ａとの間に、上面に開口した前側の収容空間７０が形成され、また、凹陥部５８を構成する奥側の縦枠６３Ｂと、連結枠５９との間に、同じように上面に開口した後側の収容空間７１が形成されるようになっている。  
それぞれの収容空間７０，７１には、例えば上記よりも短寸の短冊状蓄冷剤Ｂ１が、複数本の水平枠５６に亘るような横たわった姿勢で載せられて収容できるようになっている。
【００２９】
続いて、本実施形態の作用を説明する。  
凍結室１２内には、上部側にハンガーラック４０が３段に亘り、その下方にスタンドラック５０が２段に亘って装着される。  
ハンガーラック４０は、図１５に示すように、奥縁の左右両端部に設けられた被掛止部４３が、奥壁１２Ａの左右の棚柱３０に取り付けられた棚受金３２に載せられて掛止片３５に掛止され、また、本体枠５１における前縁の左右の隅部が、左右の側壁１２Ｂの棚柱３０に取り付けられた棚受金３２に載せられて掛止片３５に掛止され、これによりハンガーラック４０は前後並びに左右方向に移動不能に位置決めされて装着される。ハンガーラック４０は、３段に亘って極力上下方向の間隔を詰めた状態で装着される。
【００３０】
このとき、図１７に示すように、上下に並んだハンガーラック４０において、下側のハンガーラック４０の支持枠４５における水平枠４６の前端部の上方に、上側のハンガーラック４０の前枠４７の傾斜部４７Ｂとの間において手前側に広がったスペースＳができる。  
また、ハンガーラック４０の支持枠４５における前枠４７（垂下部４７Ａ）と、閉扉された場合の断熱扉１５の裏面との間には、所定（棚柱３０の幅程度）のスペースが確保されるとともに、支持枠４５の後枠４８と奥壁１２Ａとの間にも、前側と同程度のスペースが確保される。
【００３１】
一方、２個のスタンドラック５０のうち上側のスタンドラック５０は、図１６に示すように、奥縁の左右両端部に設けられた被掛止部５３が、奥壁１２Ａの左右の棚柱３０に取り付けられた棚受金３２に載せられて掛止片３５に掛止され、また、一番前の受け枠６２と本体枠５１における左右の側縁とが交差した隅部が、左右の側壁１２Ｂの棚柱３０に取り付けられた棚受金３２に載せられて掛止片３５に掛止され、これにより、上側のスタンドラック５０は前後並びに左右方向に移動不能に位置決めされて装着される。  
このとき、スタンドラック５０の支持枠５５における前枠５７と、閉扉された場合の断熱扉１５の裏面との間には、ハンガーラック４０側と同程度のスペースが確保されるとともに、奥縁の連結枠５９と奥壁１２Ａとの間にも、同程度のスペースが確保される。
【００３２】
下側のスタンドラック５０は、凍結室１２の底面に直接に載せられる。なお、図１８に示すように、凍結室１２の底面には、手前側に向けて下り勾配となった凹面１２Ｃが形成されており、スタンドラック５０における本体枠５１の前縁が凹面１２Ｃの前縁の内側に嵌って係止されることで、スタンドラック５０が手前側へ抜けることが規制されるようになっている。
【００３３】
次に、マット状蓄冷剤Ａはハンガーラック４０に、短冊状蓄冷剤Ｂはスタンドラック５０にそれぞれ支持される。  
マット状蓄冷剤Ａは下向きに二つ折りされたのち、図１７の矢線に示すように、その折曲部をハンガーラック４０における対応する支持枠４５の水平枠４６の前端部に掛け、同水平枠４６に沿って押し込むと、規制枠４９に当たったところで押し込みが停止される。これにより二つ折りされたマット状蓄冷剤Ａが、支持枠４５の奥側の領域において吊り下げられた形態で支持される。  
支持枠４５の手前側の領域にマット状蓄冷剤Ａを支持する場合は、同様に下向きに二つ折りしたのち、同折曲部を対応する支持枠４５における水平枠４６に掛け、その後縁側を奥側の領域で支持されているマット状蓄冷剤Ａの前縁側とオーバラップさせつつ、その前縁が支持枠４５の前枠４７（垂下部４７Ａ）と揃う位置まで押し込むことにより、支持枠４５の手前側の領域で吊り下げられた形態で支持される（同図の上段参照）。
【００３４】
ここで、特に上から二段目と三段目のハンガーラック４０では、上下の間隔が狭いと、二つ折りされたマット状蓄冷剤Ａを支持枠４５に掛ける作業がし難いと言えるが、この実施形態では、二段目と三段目のハンガーラック４０におけるマット状蓄冷剤Ａを挿入する部分が、手前側に広がるように口を開けた形態となるから、二つ折りされたマット状蓄冷剤Ａを挿入し、ひいては支持枠４５の水平枠４６に掛ける作業がしやすい。
【００３５】
マット状蓄冷剤Ａが、上記した要領で、各段のハンガーラック４０についてそれぞれ奥側と手前側において吊り下げられた形態で支持された場合、奥側に支持されたマット状蓄冷剤Ａの後縁は、規制枠４９に当たることでそれ以上奥側に押し込まれることが規制され、言い換えると奥側のマット状蓄冷剤Ａの後縁と奥壁１２Ａとの間には、所定間隔の冷気通路６５が確保される。  
一方、手前側に支持されたマット状蓄冷剤Ａは、その前縁を支持枠４５の前枠４７の垂下部４７Ａに揃えた形態で吊り下げ支持されているから、手前側のマット状蓄冷剤Ａの前縁と閉扉された断熱扉１５の裏面との間にも、所定間隔の冷気通路６６が確保されることになる。
【００３６】
短冊状蓄冷剤Ｂをスタンドラック５０に支持する場合は、図２並びに図１８に示すように、短冊状蓄冷剤Ｂが断面の長辺側を立てて水平に倒した姿勢とされて、上側のスタンドラック５０における隣り合う支持枠５５の間に挿入され、その後縁が連結枠５９に当たったところで押し込みが停止され、同短冊状蓄冷剤Ｂは、奥側の領域において、後側の２本の受け枠６２並びに後縁枠５４で受けられつつ、隣り合う支持枠５５における凹陥部５８よりも奥側の部分の間に立て掛けられた形態で支持される。  
手前側の領域に支持する場合は、短冊状蓄冷剤Ｂが上記と同じ姿勢において、隣り合う支持枠５５の間に挿入され、その後縁側を奥側の領域で支持されている短冊状蓄冷剤Ｂの前縁側とオーバラップさせつつ、その前縁が支持枠５５の前枠５７と揃う位置まで押し込まれることにより、同短冊状蓄冷剤Ｂは、前側の２本の受け枠６２並びに本体枠５１の前縁で受けられつつ、隣り合う支持枠５５における凹陥部５８よりも手前側の部分の間に立て掛けられた形態で支持される。
【００３７】
下側のスタンドラック５０についても、上記と同様に、短冊状蓄冷剤Ｂが手前側と奥側の領域でそれぞれ立て掛けられた形態で支持される。  
このとき、スタンドラック５０の奥側の領域に支持された短冊状蓄冷剤Ｂの後縁と奥壁１２Ａとの間、並びに手前側の領域に支持された短冊状蓄冷剤Ｂの前縁と、閉扉された断熱扉１５の裏面との間に、上記の冷気通路６５，６６に繋がる冷気通路が確保される。
【００３８】
蓄冷剤Ａ，Ｂの収納が完了したら、断熱扉１５が閉じられたのち冷却運転が開始される。すなわち、冷凍装置１７と庫内ファン２６とが駆動されると、図１の矢線に示すように、吸込口２２から吸い込まれた庫内空気が冷却器２５を通過する間に冷気が生成され、その冷気が吹出口２３から奥壁１２Ａの表面の冷気通路６５に向けて吹き出されたのち、各段のラック４０，５０に支持された蓄冷剤Ａ，Ｂを通って前方に吹き抜け、そののち断熱扉１５の裏面の冷気通路６６に沿って立ち上がるように循環供給され、これにより収納された蓄冷剤Ａ，Ｂが凍結されることになる。  
収納された蓄冷剤群の前面側と後面側に冷気通路６５，６６が確保されているから、冷気が凍結室１２内の全域に亘ってスムーズに循環供給され、全蓄冷剤Ａ，Ｂが均一にかつ高速度で凍結される。
【００３９】
凍結が完了したら、断熱扉１５を開けたのち、蓄冷剤Ａ，Ｂを対応するラック４０，５０から引き抜きつつ庫外に取り出す。  
マット状蓄冷剤Ａをハンガーラック４０から外す場合は、まず手前側のマット状蓄冷剤Ａの前縁部を両側から挟むようにして掴んで、水平枠５６上を滑らせながら手前側に引いて外す。奥側のマット状蓄冷剤Ａについても、奥の方に手を入れて同様に同蓄冷剤Ａの前縁部を掴んで、水平枠５６上を滑らせながら手前側に引いて外せばよい。
【００４０】
短冊状蓄冷剤Ｂをスタンドラック５０から外す場合は、図１８を参照すると、上段については、まず、手前側の短冊状蓄冷剤Ｂの前端部の上側角部を隣り合う支持枠５５（前枠５７）の間に指を入れて摘み、前端部を少し持ち上げた斜め姿勢として引きずり出す。奥側の短冊状蓄冷剤Ｂについては、その前端部が支持枠５５の凹陥部５８の位置に臨んでいるから、奥の方に手を入れて同凹陥部５８を通して前端部を摘み、同じく前端部を少し持ち上げた斜め姿勢にして引きずり出せばよい。  
凹陥部５８が設けられていることで、凍結室１２の奥の方であっても短冊状蓄冷剤Ｂの前端部が摘みやすく、ひいは引き外しを容易に行うことができる。
【００４１】
なお下段側では、手前側の支持領域に支持された短冊状蓄冷剤Ｂについて、以下のような取り出しを行うことができる。すなわち図１９に示すように、短冊状蓄冷剤Ｂの前端の上側角部を摘んで手前側に少し引っ張ると、同短冊状蓄冷剤Ｂの後端が、手前側の支持領域に配された後側の受け枠６２を越えることで、同後端が凹面１２Ｃに当たりつつ手前側が上がった斜め姿勢に向きが変わるから、同短冊状蓄冷剤Ｂにおける手前側に突出しかつ上方に上がった前端部を改めて掴んで、手前側に引き出せばよい。
【００４２】
さて、短冊状蓄冷剤Ｂについて、上記に示したものに比べて短寸の短冊状蓄冷剤Ｂ１を凍結したい場合がある。例えば、短冊状蓄冷剤Ｂ１が、各支持領域における前後の受け枠６２の間隔よりも短い場合は支持できないし、そこまで短くない場合でも、両受け枠６２に亘って載るように気を使って収納作業を行う必要があって、能率が悪い。  
そこで、短寸の短冊状蓄冷剤Ｂ１を収納する場合には、図２０及び図２１に示すように、スタンドラック５０を上下反転させた姿勢として、四隅を棚受金３２の掛止片３５に掛止して位置決めして装着する。なお、凍結室１２内のスペースを有効利用する場合は、棚受金３２の高さ位置を適宜に変更する。  
そうすると、手前側と奥側とに上面に開口した収容空間７０，７１が形成されるから、それらの収容空間７０，７１において、短寸の短冊状蓄冷剤Ｂ１を、複数本の水平枠５６に亘るような横たわった姿勢で載せて収容すればよい。
【００４３】
以上のように本実施形態のスタンドラック５０によれば、短冊状蓄冷剤Ｂを多数立て掛けた姿勢で整列して支持することができる一方、上下反転姿勢とすると、上面に開口された収容空間７０，７１が前後の領域にそれぞれ形成されたいわゆるかご状となり、短寸の短冊状蓄冷剤Ｂ１を載せて収容することができる。すなわち長さ寸法が異なる短冊状蓄冷剤Ｂ，Ｂ１を支持する場合に、１種類のスタンドラック５０を上下反転させた姿勢で使用することにより対応できる。
【００４４】
短冊状蓄冷剤Ｂを立て掛け支持することに用いる受け枠６２は、併せて補強材としても機能し、スタンドラック５０の形状保持に寄与し得る。  
また、上下反転させた際に上面開口の収容空間７０，７１を前後に形成するべく支持枠５５の水平枠５６に凹陥部５８を形成したのであるが、このように凹陥部５８が設けられていると、特に奥側の支持領域に立て掛けられた短冊状蓄冷剤Ｂの前端部を摘んで引き出す場合に便利である。凹陥部５８を構成する縦枠６３Ａ，６３Ｂは、立て掛けられた短冊状蓄冷剤Ｂの下部側に当たって側方に抜けることを規制し、短冊状蓄冷剤Ｂを立て掛けた姿勢に保持することに有効である。  
さらに、各支持枠５５の水平枠５６の後端の間に連結枠５９が渡された構造となっている。このような構造であると、短冊状蓄冷剤Ｂを奥側の領域に押し込んだ場合に、連結枠５９に当たってそれ以上の押し込みが規制される。短冊状蓄冷剤Ｂの奥面側に冷気通路６５を確保する場合に有効となる。
【００４５】
＜実施形態２＞
図２２は、本発明の実施形態２を示す。  
上記実施形態１に例示したスタンドラック５０では、例えば比較的幅広の短冊状蓄冷剤Ｂ２を並べて立て掛けた場合、隣り合う蓄冷剤Ｂ２同士が上端側を突き合わせた山形をなすように立て掛けられ、凍結前は比較的柔らかいため、広範囲に面接触した形態で支持される可能性があり、そうすると互いにくっついた箇所には冷気が通らず、凍結具合にばらつきがでたり、凍結速度が落ちるという問題がある。
【００４６】
それに対してこの実施形態では、スタンドラック５０Ｘを構成する各支持枠５５が、正面視でその上端側を側方（例えば左側）に所定角度振った傾斜姿勢を取って、一定間隔を開けて並んで形成されている。  
このようなスタンドラック５０Ｘでは、短冊状蓄冷剤Ｂ２は支持枠５５の間ごとに一方向に揃って傾斜した姿勢で支持される。そのため隣り合う短冊状蓄冷剤Ｂ２の間に所定の隙間が確保され、冷気の流通が担保される。結果、全短冊状蓄冷剤Ｂ２に亘って均一に且つ高速度で凍結することが可能となる。
【００４７】
＜他の実施形態＞
本発明は上記記述及び図面によって説明した実施形態に限定されるものではなく、例えば次のような実施形態も本発明の技術的範囲に含まれる。  
（１）上記実施形態では、スタンドラックの支持枠の水平枠における後端部を浮いた状態で支持する手段として、各水平枠の後端部に連結枠を渡して同連結枠を本体枠の後縁に連結するようにしたが、各水平枠の後端部に脚枠を設けてそれらを本体枠の後縁に連結するようにしてもよい。係る構造とすると、奥側の収容空間でも奥側に壁ができた形態とすることができる。  
（２）上記実施形態のスタンドラックでは、短冊状蓄冷剤を立て掛けて支持する支持領域並びに収容空間を前後二箇所に設けた場合を例示したが、短冊状蓄冷剤の大きさ等の条件によって三箇所以上設けたり、一箇所のみとする場合であってもよい。  
（３）本発明は、凍結庫内にスタンドラックのみを装着して使用する場合においても同様に有用である。
【符号の説明】
【００４８】
Ｂ，Ｂ１，Ｂ２…短冊状蓄冷剤（シート状の蓄冷剤）  １０…凍結庫  １２…凍結室  ３０…棚柱  ５０，５０Ｘ…スタンドラック  ５１…本体枠  ５５…支持枠  ５６…水平枠  ５７…前枠（脚枠）  ５８…凹陥部  ５９…連結枠  ６０…脚枠  ６２…受け枠  ６３Ａ，６３Ｂ…縦枠（脚枠）  ７０，７１…収容空間
【図１】
0005755481.tif 000002
【図２】
0005755481.tif 000003
【図３】
0005755481.tif 000004
【図４】
0005755481.tif 000005
【図５】
0005755481.tif 000006
【図６】
0005755481.tif 000007
【図７】
0005755481.tif 000008
【図８】
0005755481.tif 000009
【図９】
0005755481.tif 000010
【図１０】
0005755481.tif 000011
【図１１】
0005755481.tif 000012
【図１２】
0005755481.tif 000013
【図１３】
0005755481.tif 000014
【図１４】
0005755481.tif 000015
【図１５】
0005755481.tif 000016
【図１６】
0005755481.tif 000017
【図１７】
0005755481.tif 000018
【図１８】
0005755481.tif 000019
【図１９】
0005755481.tif 000020
【図２０】
0005755481.tif 000021
【図２１】
0005755481.tif 000022
【図２２】
0005755481.tif 000023